(57)【要約】【課題】印鑑本体から脱落しにくく且つ印面を保護可能な印面キャップを提供する。【解決手段】印面キャップ１ｂは上方が開口した有底筒状のキャップ体１００ｂとキャップ体１００ｂ内に配された係止体２により構成され、上記キャップ体１００ｂ開口部近傍の内周縁には凹部１３０が全周にわたって設けられ、該凹部１３０は印鑑挿入時に印鑑により圧迫されて伸びる係止体バネ部２２０の伸び代が確保される程度の空間を備えている。係止体２は係止体内底部２１０と複数の係止体バネ部２２０を備え、各係止体バネ部２２０は係止体内底部２１０から上方向に立ち上がるように設けられている。薄い円板状の係止体内底部２１０はキャップ体１００ｂの内底面の略全面を被覆可能に形成されている。各係止体バネ部２２０は可撓性又は弾性を有する薄板により形成され、側面視において内方に向かって膨らんだ弧形に形成されている。【選択図】図９
2008132681.tif 000002
【特許請求の範囲】
【請求項１】
有底筒状又は箱状の印面キャップ(1)であって、
該印面キャップ(1)は内部に係止部材(220)及び内底面被覆部材(210)を備え、
上記係止部材(220)は、可撓性又は弾性を有する押圧片で形成され、印鑑挿入時には印鑑の外周面(320)を押圧して挟持するように構成してあり、
上記底面被覆部材(210)は、キャップ本体(100)の内底面の一部又は全部を被覆している、
印面キャップ
【請求項２】
有底筒状又は箱状の印面キャップ(1)であって、
該印面キャップ(1)は、キャップ本体(100)と、キャップ本体(100)内に配された係止体(2)を備え、
該係止体(2)は、内底面被覆部材(210)および該底面被覆部材(210)から上方向に立ち上げて設けてある可撓性又は弾性を有する押圧片で形成された係止部材(220)を有し、該係止部材(220)は印鑑挿入時に印鑑の外周面(320)を押圧して挟持するように構成されており、
上記底面被覆部材(210)は、キャップ本体(100)の内底面の一部又は全部を被覆している、
印面キャップ
【請求項３】
請求項２記載の印面キャップ(1)であって、
キャップ本体(100)の開口部近傍の内周縁に、内周面の一部又は全周にわたる凸部(110)が形成してあり、該凸部(110)の下縁と係止部材(220)の先端の間には、キャップ本体(100)内に印鑑(3)を挿入した際に、上記係止部材(220)が圧迫されて先端が開口部側に伸びる伸び代を確保する空間部(120)が形成されている、
印面キャップ
【請求項４】
請求項２記載の印面キャップ(1b)であって、
キャップ本体(100b)内周の開口部近傍には、係止部材(220)の先端が嵌入可能に形成された空間を有する凹部(130)が設けてあり、
キャップ本体(100b)内の係止体(2)は、上記各係止部材(220)の先端が上記凹部(130)内に位置するように構成されている、
印面キャップ
【請求項５】
請求項２ないし４のいずれかに記載の印面キャップ(1,1b)であって、
係止体(2)は、バネ鋼の平坦な薄板であって円板状の底面被覆部材(210)と該底面被覆部材(210)周縁から放射状に伸びた複数の係止部材(220)が設けられたものを、各係止部材(220)が上方向へ立ち上がるように折り曲げて形成してあり、
各係止部材(220)は、内方に膨出するように弧形に曲げて形成してある、
印面キャップ。
【請求項６】
請求項１ないし５のいずれかに記載の印面キャップ(1,1b)であって、
内底面被覆部材(210)又は内底面被覆部材(210)の開口部側の面に、インクを含んだスタンプ台又は朱肉(240)を備える、
印面キャップ。
【請求項７】
請求項１ないし６のいずれかに記載の印面キャップ(1,1a,1b)を備える、
印面キャップ付き印鑑。
【発明の詳細な説明】
【技術分野】
【０００１】
本発明は、印面キャップ及び印面キャップを備えた印鑑に関する。更に詳しくは、印面キャップに印鑑本体からの脱落防止手段及び印面保護手段が備えられたものに関する。
【背景技術】
【０００２】
従来から印鑑の印面を保護するための印面キャップを備えたものが数多く提案されている。このような印面キャップの多くは、印鑑の外周と印面キャップの内周の大きさを、高い精度で嵌め合うように形成し、摩擦力を利用して印面キャップの脱落を防止するよう構成されていた。
しかし、印鑑及び印面キャップを木材により形成した場合、湿気による膨張や乾燥による収縮によって、印鑑に印面キャップが嵌りにくいか又は脱落しやすくなるという課題があった。また、長期にわたる使用により、印鑑及び印面キャップのいずれか又は双方が減耗し、印鑑から印面キャップが脱落しやすくなるという課題もあった。
上記課題を解決するために、例えば下記特許文献１に示すような印鑑キャップが提案されており、該印鑑キャップは、その内周面に取り付けられた保持リングによって印鑑キャップの脱落防止が図られている。
【０００３】
【特許文献１】特開２００６−１０３２１５号
【発明の開示】
【発明が解決しようとする課題】
【０００４】
従来の木製印面キャップの加工方法は旋盤を利用したものが主流であるが、印鑑本体とキャップの間の隙間がほとんど生じないよう高精度の加工を行うために、刃が横方向に向い傾斜したバイト４（図７参照）を使用して行う場合がある。しかし、上記のバイトにより加工を行うと、印面キャップの内底面の中心部分には突起又はふくらみが形成され、当該突起等が印面を傷つけることがあるという課題があった。また、傷つけるとまではいかずとも、長年の使用により、印面の中央付近が窪んでいき、印影が薄くなる場合もあった。
特許文献１にかかる印鑑キャップは、その保持リングの両端が開放された筒状体であり、使用の際に印面が印鑑キャップ内底の突起等に接触してしまう。つまり、印面を保護する機能を備えていないという課題があった。
【０００５】
また、木製印面キャップの内底面に朱肉等を備えたものが従来から数多くみられるが、上記木製印面キャップは、長年の使用によって印面キャップの底面の木目部分や木の接合部等から朱インク等が滲み出て、印鑑の収納場所に一緒に収められた書類等を汚してしまう場合があった。
特許文献１にかかる印鑑キャップは、その保持リングの両端が開放された筒状体であるため、当該印鑑キャップに上述の朱肉等を付加した場合に、上述の課題を解決することができない。
【０００６】
更に、従来の印面キャップは、印鑑本体とキャップの間の隙間が生じないよう高精度で加工された言わば専用品であって、他の印面キャップでは代用が利かない場合が多く、印面キャップを紛失した場合には当該印鑑に合わせて作り直すしかなかった。
なお、特許文献１にかかる印鑑キャップの場合、保持リングに多少の柔軟性又は変形性があれば、保持リングの内周と略同じか又は内周より大きな印鑑については挿入及び保持可能であるが、保持リング内周より少しでも小さな印鑑については保持することができないという課題を解決することができない。
【０００７】
（発明の目的）
そこで、本発明の目的は、印鑑本体から脱落しにくく、且つ、印面が印面キャップ内底に接触するまで挿入しても、印面が傷まないか又は傷みにくい印面キャップを提供することにある。
また、本発明の他の目的は、印面キャップの内底部に朱肉等を備えながらも、印面キャップの底面の木目部分や木の接合部等から朱インク等が滲み出ないか又は滲み出にくい印面キャップを提供することにある。
【課題を解決するための手段】
【０００８】
上記目的を達成するために講じた本発明の手段は次のとおりである。
本発明は、
有底筒状又は箱状の印面キャップであって、
該印面キャップは内部に係止部材及び内底面被覆部材を備え、
上記係止部材は可撓性又は弾性を有する押圧片で形成され、印鑑挿入時には印鑑の外周面を押圧して挟持するように構成してあり、
上記底面被覆部材は、キャップ本体の内底面の一部又は全部を被覆している、
印面キャップである
【０００９】
また、本発明は、
有底筒状又は箱状の印面キャップであって、
該印面キャップは、キャップ本体と、キャップ本体内に配された係止体を備え、
該係止体は、内底面被覆部材および該底面被覆部材から上方向に立ち上げて設けてある可撓性又は弾性を有する複数の押圧片で形成された係止部材を有し、該係止部材は印鑑挿入時に印鑑の外周面を押圧して挟持するように構成されており、
上記底面被覆部材は、キャップ本体の内底面の一部又は全部を被覆している、
印面キャップである。
【００１０】
本発明の印面キャップは、
キャップ本体の開口部近傍の内周縁に、内周面の一部又は全周にわたる凸部が形成してあり、該凸部の下縁と係止部材の先端の間には、キャップ本体内に印鑑を挿入した際に、上記係止部材が圧迫されて先端が開口部側に伸びる伸び代を確保する空間部が形成されているものであってもよい。
【００１１】
また、本発明の印面キャップは、
キャップ本体内周の開口部近傍には、係止部材の先端が嵌入可能に形成された空間を有する凹部が設けてあり、
キャップ本体内の係止体は、上記各係止部材の先端が上記凹部内に位置するように構成されているものであってもよい。
【００１２】
上記印面キャップは、
係止体は、バネ鋼の平坦な薄板であって円板状の底面被覆部材と該底面被覆部材周縁から放射状に伸びた複数の係止部材が設けられたものを、各係止部材が上方向へ立ち上がるように折り曲げて形成してあり、
各係止部材は、内方に膨出するように弧形に曲げて形成してあるものであってもよい。
【００１３】
上記の印面キャップは、内底面被覆部材又は内底面被覆部材の開口部側の面に、インクを含んだスタンプ台又は朱肉を備えることが好ましい。
【００１４】
本発明は、上記した印面キャップを備える、印面キャップ付き印鑑である。
【００１５】
本明細書及び本特許請求の範囲にいう「係止部材」は、可撓性又は弾性を有する部材によって形成され、例えば、薄い金属板を弓状に曲げて形成されたものが挙げられるが、これに限定するものではなく、ゴム、合成樹脂、木材、竹材等、あるいはこれらを組み合わせたものにより形成されたものであってもよい。
なお、上記係止部材を合成樹脂により形成し、キャップ本体も合成樹脂により形成する場合は、印面キャップは、係止部材とキャップ本体を一体として成型したものであってもよい。
【００１６】
内底面被覆部材又は内底面被覆部の開口部側の面に、インクを含んだスタンプ台又は朱肉を備えるものについては、内底面被覆部は液密性を有する素材（例えば、金属、合成樹脂等）により形成されることが好ましく、更には耐腐食性を有する素材により形成されることがより好ましい。
【００１７】
本明細書及び本特許請求の範囲にいう印鑑としては、印面及び印鑑軸部の断面が円形のものが挙げられるほか、例えば、楕円形、三角形、四角形等の多角形であってもよい。同様に、本明細書及び本特許請求の範囲にいう印面キャップの形状及び開口部形状も、例えば円形のものが挙げられるほか、例えば、楕円形、三角形、四角形等の多角形であってもよい。
【００１８】
押圧片は、例えば、内方に膨出するように弧形に曲げて形成してあるものが挙げられるが、他の公知形状（例えば切片又は爪状体）を除外するものではない。
【００１９】
（作  用）
本発明に係る印面キャップの作用を説明する。なお、ここでは、本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００２０】
本発明に係る印面キャップ(1,1a,1b)を印鑑に取着する。
このとき、各係止部材(220)が印鑑の外周面(320)を押圧して挟持する。このため、印面キャップが印鑑本体から脱落しない又は脱落しにくい。
また、印鑑(3)を印面キャップ(1,1a,1b)の奥まで挿入しても、底面被覆部材(210)がキャップ本体(100,100b)の内底面の一部又は全部を被覆するよう構成されているため、印面に傷がつかない又は傷つきにくい。
【００２１】
印面キャップ(1)のキャップ本体(100)の上方開口部近傍の内周縁に、内周面の一部又は全周にわたる凸部(110)が形成された印面キャップ(1)は、印鑑(3)を挿入した際に、凸部(110)の下縁と、キャップ本体(100)内に設けられた係止部材(220)の先端の間に形成された所要の空間部(120)へ、圧迫された係止部材(220)が伸びることができる。また、キャップ本体(100)に、内底面被覆部材(210)が接着されていない場合又は接着した部分が外れた場合であっても、係止体(2)が、上方開口部近傍の内周縁に形成された凸部(110)に引っ掛かって、キャップ本体(100)から外れないか又は外れにくい。
【００２２】
キャップ本体(100b)内周の上縁近傍に係止部材(220)先端が嵌入可能に形成された空間を有する凹部(130)が設けられた印面キャップ(1b)は、キャップ本体(100b)内への係止体(2)の取着によって、上記各係止部材(220)の先端が上記凹部(130)に嵌入するので、以下の作用が生ずる。
（１）印面キャップ(1b)を印鑑に取着する際に、各係止部材(220)の先端が印面に当たって押し曲げられたり、各係止部材(220)の先端が印面を傷つける危険性が減少する。また、各係止部(220)が印鑑(3)により押圧されたときに、該各係止部材(220)の先端部は凹部(130)内の空間内へ伸び、該先端部が上記空間内に収まるので、該先端部が印面に引っ掛かって各係止部材(220)が押し曲げられる危険性が減少する。
（２）キャップ本体(100b)に、内底面被覆部材(210)が接着されていない場合又は接着した部分が外れた場合であっても、係止体(2)は、凹部(130)に嵌入した各係止部材(220)の先端が該凹部(130)に引っ掛かるため、キャップ本体(100b)から外れないか又は外れにくい。
【００２３】
内底面被覆部材(210)又は内底面被覆部材(210)の開口部側の面に、インクを含んだスタンプ台又は朱肉(240)を備える印面キャップ(1a)は、印鑑(3)を挿入した際に、内底面被覆部材(210)又は内底面被覆部材(210)の開口部側の面に設けられたインクを含んだスタンプ台又は朱肉(240)に、印面が接触して朱肉等が付着する。このため、印面キャップ(1a)を外すとすぐに押印可能な状態となる。
【００２４】
なお、印面キャップの開口部内周に比して外周がやや小さな印鑑に印面キャップ(1,1a,1b)を取着する場合は、例えば、係止部材(220)が金属製のものにあっては、該係止部材(220)を更に内方に膨出するように曲げると、該係止部材(220)は、キャップ本体(100,100b)の開口部より小さな印鑑であっても、印鑑の外周面(320)を押圧して挟持でき、印面キャップ(1,1a,1b)は印鑑本体から脱落しない又は脱落しにくい。
【発明の効果】
【００２５】
本発明によれば、次の効果を奏する。
（１）印鑑本体から脱落しにくく、かつ、印面が印面キャップ内底に接触するまで挿入しても印面が傷まないか又は傷みにくい印面キャップを提供することができる。
（２）上記印面キャップの朱肉等を付加したものであって、印面キャップの底面の木目部分や木の接合部等から朱インク等が滲み出ないか又は滲み出にくい印面キャップを提供することができる。
（３）上記の効果を有する印面キャップを備える印鑑を提供することができる。
【発明を実施するための最良の形態】
【００２６】
[印面キャップ１]
本発明の第１の実施の形態を図面に基づき更に詳細に説明する。
図１は本発明の第１の実施の形態に係る印面キャップの縦断面図、
図２は本発明に係る印面キャップの平面図、
図３は本発明に係る印面キャップの側面図、
図４は本発明に係る印面キャップの底面図、
図５は本発明の第１の実施の形態に係る印面キャップを備えた印鑑の分解斜視説明図である。
【００２７】
図１乃至図５に示す印面キャップ１について説明する。
印面キャップ１は、上方が開口した有底筒状のキャップ体１００と、キャップ体１００内に配された係止体２により構成されている。上記印面キャップ１は、印鑑３に取着して使用されるものである。
なお、本実施の形態では、キャップ体１００は木製（黄楊）であり、係止体２は金属の薄板（バネ鋼）により形成されている
【００２８】
係止体２は、内底面被覆部材である係止体内底部２１０と、係止部材である複数の係止体バネ部２２０を備えており、各係止体バネ部２２０は係止体内底部２１０から上方向に立ち上げて設けられている。
係止体内底部２１０は、薄い円板状であって、キャップ体１００の内底面の略全面を被覆可能な大きさに形成されている（図１及び図２参照）。
各係止体バネ部２２０は、可撓性又は弾性を有する板バネであって、側面視において内方に向かって膨らんだ弧形に形成されている（図１及び図５参照）。
なお、本実施の形態の係る係止体２は、円板状の係止体内底部２１０と該係止体内底部２１０周縁から放射状に伸びた複数の係止体バネ部２２０を備えた金属製薄板を、各係止体バネ部２２０が係止体内底部２１０周縁から上方向に立ち上がるように折り曲げて形成してある。
【００２９】
キャップ体１００開口部近傍の内周縁には、内方に向かって径小となるように凸設された開口縁部１１０が全周にわたって設けられている（図１参照）。
上記開口縁部１１０下縁と係止体に係る係止体バネ部２２０の先端との間には、空間部１２０が形成されている。該空間部１２０は、印面キャップ１内に印鑑３を挿入した際に、印鑑３により圧迫されて伸びた係止体バネ部２２０の伸び代が確保される程度の高さに構成されている。
【００３０】
なお、本実施の形態では、印面キャップ及び印鑑は黄楊により形成されているが、これに限定するものではなく、例えば、黒檀・紫檀・欅・斧折樺その他の木材、竹材、象・水牛・羊・鯨等動物の角、牙または骨、水晶・瑪瑙・琥珀・虎目石・青田石・寿山石・巴林石・昌化石・ロウ石等の石材、金・銀・青銅等の銅合金・鉄・チタン等の金属、陶磁製、ガラス、ガゼインプラスチック等の合成樹脂、その他これらを組み合わせたものであってもよい。また、印面キャップと印鑑は、必ずしも同一の素材により形成しなくともよい。
【００３１】
本実施の形態では、キャップ体１００内底部に係止体２の係止体内底部２１０が特に接着等されていないが、キャップ体１００内底部と係止体２の係止体内底部２１０を接着等により固着してもよい。
【００３２】
（作  用）
図１を参照して、印面キャップ１の作用を説明する。
印面キャップ１を印鑑３に取着する。
このとき、挿入した印鑑３の外周面３２０が各係止体バネ部２２０を押すこととなり、弧形の各係止体バネ部２２０が直線的になろうとして伸びる。また、各係止体バネ部２２０の先端部は空間部１２０において伸びる。そして、各係止体バネ部２２０は、弾性を有するため、元の弧形へ復元しようと反発し、外周面３２０を押圧する。
この結果、各係止体バネ部２２０は外周面３２０を弾性的に支持した状態となり、印鑑３を挟持して保持することとなるので、印面キャップ１は印鑑３本体から脱落しないか又は脱落しにくい。
【００３３】
また、キャップ体１００へ孔を穿つ加工に際して内底面に凹凸が生じている場合であっても、係止体内底部２１０がキャップ体１００の内底面の全部を被覆するよう構成されているので、印鑑３を奥まで挿入しても印面が傷つかないか又は傷つきにくい。
【００３４】
なお、キャップ体１００内底面に係止体内底部２１０が接着されていない場合又は接着した部分が外れた場合であっても、各係止体バネ部２２０先端が凸状に設けられた開口縁部１１０に引っ掛かるので、係止体２はキャップ体１００から外れないか又は外れにくい。
【００３５】
印面キャップ１は、弧形の各係止体バネ部２２０を更に内方に曲げることにより、印面キャップを紛失等した他の印面キャップ付き印鑑であって、該印鑑が印面キャップ１の開口部より外周が小さく、印鑑外周とキャップ体１００内周の間に隙間が生じるものにも取り付けることができる。この場合、曲げた上記各係止体バネ部２２０が、印鑑外周面を押圧し且つ挟持するので、印面キャップ１が上記印鑑から脱落しないか又は脱落しにくい。
【００３６】
[印面キャップ１ａ]
図８は本発明に係る第２の実施の形態に係る印面キャップ付き印鑑の印面キャップを縦断面した説明図である。図８を参照して、本発明に係る印面キャップの他の実施の形態である印面キャップ１ａを説明する。
【００３７】
印面キャップ１ａは、係止体２の係止体内底部２１０の開口部側の面に朱肉２４０が設けてある。なお、上記以外の構造は印面キャップ１と同様であるため、説明を省略する。
なお、本実施の形態では、係止体２の係止体内底部２１０上面に朱肉２４０が設けてあるが、これに限定するものではなく、例えば、インクを含んだスポンジ等のスタンプ台であってもよい。
【００３８】
（作  用）
印面キャップ１ａの作用を説明する。なお、ここでは、印面キャップ１と同様の作用については、説明を省略する。
印面キャップ１ａに、印鑑３を挿入して取着する。このとき、係止体内底部２１０上面に設けられた朱肉２４０に、印鑑３の印面が接触して朱肉が付着するので、印面キャップ１ａを外すとすぐに押印可能な状態となる。
【００３９】
[印面キャップ１ｂ]
図９は本発明の第３の実施の形態に係る印面キャップの縦断面図である。図９を参照して、本発明に係る印面キャップの他の実施の形態である印面キャップ１ｂを説明する。
印面キャップ１ｂは、上方が開口した有底筒状のキャップ体１００ｂと、キャップ体１００ｂ内に設けられた係止体２により構成されているが、キャップ体１００ｂ以外の構造は印面キャップ１と同様であるため、説明を省略する。
【００４０】
キャップ体１００ｂ開口部近傍の内周縁には、凹部１３０が全周にわたって設けられている。上記凹部１３０は、キャップ本体１００ｂ内に係止体２を取着した状態において、各係止体バネ部２２０の先端が凹部１３０内の空間に嵌入するよう設けられている（図９参照）。凹部１３０は、印面キャップ１内に印鑑３を挿入した際に、印鑑３により圧迫されて伸びる係止体バネ部２２０の伸び代が確保される程度の空間を備えている。
【００４１】
（作  用）
印面キャップ１ｂの作用を説明する。なお、ここでは、印面キャップ１と同様の作用については、説明を省略する。
印面キャップ１ｂに、印鑑３を挿入して取着する。
この際に、各係止体バネ部２２０は、その先端がキャップ本体１００ｂ内周の凹部１３０に嵌入して収まり、以下の作用が生ずる。
（１）印面キャップ１ｂを印鑑に取着する際に、各係止体バネ部２２０の先端が印面に当たって押し曲げられたり、各係止体バネ部２２０の先端が印面を傷つける危険性が減少する。また、各係止体バネ部２２０が印鑑３により押圧されたときに、該各係止体バネ部２２０の先端部は凹部１３０内の空間内へ伸び、該先端部が上記空間内に収まるので、該先端部が印面に引っ掛かって各係止体バネ部２２０が押し曲げられる危険性が減少する。
（２）キャップ本体１００ｂに、係止体内底部２１０が接着されていない場合又は接着した部分が外れた場合であっても、係止体２は、凹部１３０に嵌入した各係止体バネ部２２０の先端が該凹部１３０に引っ掛かるため、キャップ本体１００ｂから外れないか又は外れにくい。
【００４２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００４３】
【図１】本発明の第１の実施の形態に係る印面キャップの縦断面図。
【図２】本発明に係る印面キャップの平面図。
【図３】本発明に係る印面キャップの側面図。
【図４】本発明に係る印面キャップの底面図。
【図５】本発明の第１の実施の形態に係る印面キャップを備えた印鑑の分解斜視説明図。
【図６】本発明に係る第１の実施の形態に係る印面キャップ付き印鑑の印面キャップを縦断面した説明図。
【図７】印面キャップの作成工程の説明図。
【図８】本発明に係る第２の実施の形態に係る印面キャップ付き印鑑の印面キャップを縦断面した説明図。
【図９】本発明の第３の実施の形態に係る印面キャップの縦断面図。
【符号の説明】
【００４４】
１，１ａ，１ｂ  印面キャップ
１００，１００ｂ  キャップ体
１１０    開口縁部
１２０    空間部
１３０    凹部
２        係止体
２１０    係止体内底部
２２０    係止体バネ部
２４０    朱肉
３        印鑑
３１０    印面
３２０    周側面
４        バイト
【図１】
2008132681.tif 000003
【図２】
2008132681.tif 000004
【図３】
2008132681.tif 000005
【図４】
2008132681.tif 000006
【図５】
2008132681.tif 000007
【図６】
2008132681.tif 000008
【図７】
2008132681.tif 000009
【図８】
2008132681.tif 000010
【図９】
2008132681.tif 000011
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
有底筒状又は箱状の印面キャップ(1)であって、
該印面キャップ(1)は内部に係止部材(220)及び内底面被覆部材(210)を備え、
上記係止部材(220)は、可撓性又は弾性を有する押圧片で形成され、印鑑挿入時には印鑑の外周面(320)を押圧して挟持するように構成してあり、
上記底面被覆部材(210)は、キャップ本体(100)の内底面の一部又は全部を被覆している、
印面キャップ
【請求項２】
有底筒状又は箱状の印面キャップ(1)であって、
該印面キャップ(1)は、キャップ本体(100)と、キャップ本体(100)内に配された係止体(2)を備え、
該係止体(2)は、内底面被覆部材(210)および該底面被覆部材(210)から上方向に立ち上げて設けてある可撓性又は弾性を有する押圧片で形成された係止部材(220)を有し、該係止部材(220)は印鑑挿入時に印鑑の外周面(320)を押圧して挟持するように構成されており、
上記底面被覆部材(210)は、キャップ本体(100)の内底面の一部又は全部を被覆している、
印面キャップ
【請求項３】
キャップ本体(100)の開口部近傍の内周縁に、内周面の一部又は全周にわたる凸部(110)が形成してあり、該凸部(110)の下縁と係止部材(220)の先端の間には、キャップ本体(100)内に印鑑(3)を挿入した際に、上記係止部材(220)が圧迫されて先端が開口部側に伸びる伸び代を確保する空間部(120)が形成されている、
請求項２記載の印面キャップ
【請求項４】
キャップ本体(100b)内周の開口部近傍には、係止部材(220)の先端が嵌入可能に形成された空間を有する凹部(130)が設けてあり、
キャップ本体(100b)内の係止体(2)は、上記各係止部材(220)の先端が上記凹部(130)内に位置するように構成されている、
請求項２記載の印面キャップ
【請求項５】
係止体(2)は、バネ鋼の平坦な薄板であって円板状の底面被覆部材(210)と該底面被覆部材(210)周縁から放射状に伸びた複数の係止部材(220)が設けられたものを、各係止部材(220)が上方向へ立ち上がるように折り曲げて形成してあり、
各係止部材(220)は、内方に膨出するように弧形に曲げて形成してある、
請求項２，３または４記載の印面キャップ。
【請求項６】
内底面被覆部材(210)又は内底面被覆部材(210)の開口部側の面に、インクを含んだスタンプ台又は朱肉(240)を備える、
請求項１，２，３，４または５記載の印面キャップ。
【請求項７】
請求項１ないし６のいずれかに記載の印面キャップ(1,1a,1b)を備える、
印面キャップ付き印鑑。